(57)【要約】【課題】タブとの接続に支障が生じることを防止する。【解決手段】ファストン端子は、基板部と、基板部の両側縁から弧状に延出した一対の弾性保持部と、基板部に形成され、基板部の一部を斜め後方外向きに延出させた形態のランスと、基板部に形成され、ランスの側方に隣り合う切欠部とを備え、切欠部の後縁部には、基板部における弾性保持部側の面を斜めに凹ませた形態のテーパ面が形成されている。【選択図】図６
2020167033.tif 000002
【特許請求の範囲】
【請求項１】
基板部と、
前記基板部の両側縁から弧状に延出した一対の弾性保持部と、
前記基板部に形成され、前記基板部の一部を斜め後方外向きに延出させた形態のランスと、
前記基板部に形成され、前記ランスの側方に隣り合う切欠部とを備え、
前記切欠部の後縁部には、前記基板部における前記弾性保持部側の面を斜めに凹ませた形態のテーパ面が形成されているファストン端子。
【請求項２】
前記基板部のうち前記ランスと対応する領域は、前記切欠部に連通する開口部となっており、
前記基板部は、前記切欠部の後縁部と前記開口部の側縁部とが連なる角部を有し、
前記テーパ面が、前記角部に配されて、前記タブの挿入方向及び前記基板部の幅方向の両方向に対して斜めをなしている請求項１に記載のファストン端子。
【請求項３】
前記基板部のうち前記ランスと対応する領域が開口部となっており、
前記基板部のうち前記開口部の側縁部に沿った領域には、前記弾性保持部側へ突出した突出部が形成され、
前記タブの挿入過程において、前記タブの挿入方向先端部が前記テーパ面と前記突出部の前端部とに同時に摺接可能である請求項１又は請求項２に記載のファストン端子。
【請求項４】
基板部と、
前記基板部の両側縁から弧状に延出した一対の弾性保持部と、
前記基板部に形成され、前記基板部の一部を斜め後方外向きに延出させた形態のランスとを備え、
前記基板部のうち前記ランスと対応する領域は、開口部となっており、
前記基板部のうち前記開口部の両側縁部に沿った領域には、前記弾性保持部側へ突出した突出部が形成されているファストン端子。
【請求項５】
前記基板部のうち前記ランスよりも前方の領域には、前記突出部と同じ高さの支持部が形成されている請求項４に記載のファストン端子。
【請求項６】
前記支持部は、前記タブの挿入方向と平行な平面からなる支持面を有している請求項５に記載のファストン端子。
【請求項７】
基板部と、
前記基板部の両側縁から弧状に延出した一対の弾性保持部と、
前記基板部に形成され、前記基板部の一部を斜め後方外向きに延出させた形態のランスとを備え、
前記基板部のうち前記ランスと対応する領域は、開口部となっており、
前記開口部の後縁部には、前記基板部における前記弾性保持部側の面を弧状に凹ませた形態の湾曲面が形成されているファストン端子。
【発明の詳細な説明】
【技術分野】
【０００１】
本開示は、ファストン端子に関するものである。
【背景技術】
【０００２】
特許文献１には、底面部と一対の雌型電気接触部を有するファストン端子が開示されている。一対の雌型電気接触部は、底面部の幅方向両端から延伸して、内方に巻き込むように折り曲げられている。底面部と一対の雌型電気接触部との間には、雄型タブが挿入されるようになっている。
【先行技術文献】
【特許文献】
【０００３】
【特許文献１】特開平０８−０６４３１８号公報
【特許文献２】特開２００７−１４９３８３号公報
【特許文献３】特開２００９−１８７８９５号公報
【特許文献４】特開２０１１−００３３３７号公報
【発明の概要】
【発明が解決しようとする課題】
【０００４】
ファストン端子をハウジング内に挿入して使用する場合、ファストン端子を抜止め状態に保持する手段として、ファストン端子にランスを形成することが考えられる。ランスは、底面部の一部を斜めに切り起こすことによって形成することができる。ランスをハウジング内の段差状の抜止め部に引っ掛けることにより、ファストン端子を抜止めすることができる。
【０００５】
ところが、ランスを切り起こしによって形成した場合、底面部には、ランスとして切り起こされた領域と対応する開口部や、切り起こし加工に必要な切欠部が形成されることになる。そのため、雄型タブが底面部と一対の雌型電気接触部との間に挿入されたときに、雄型タブの先端が、開口部の開口縁や切欠部の開口縁に突き当たることが懸念される。
【０００６】
本開示のファストン端子は、上記のような事情に基づいて完成されたものであって、タブとの接続に支障が生じるのを防止することを目的とする。
【課題を解決するための手段】
【０００７】
第１の開示のファストン端子は、
基板部と、
前記基板部の両側縁から弧状に延出した一対の弾性保持部と、
前記基板部に形成され、前記基板部の一部を斜め後方外向きに延出させた形態のランスと、
前記基板部に形成され、前記ランスの側方に隣り合う切欠部とを備え、
前記切欠部の後縁部には、前記基板部における前記弾性保持部側の面を斜めに凹ませた形態のテーパ面が形成されている。
【０００８】
第２の開示のファストン端子は、
基板部と、
前記基板部の両側縁から弧状に延出した一対の弾性保持部と、
前記基板部に形成され、前記基板部の一部を斜め後方外向きに延出させた形態のランスとを備え、
前記基板部のうち前記ランスと対応する領域は、開口部となっており、
前記基板部のうち前記開口部の両側縁部に沿った領域には、前記弾性保持部側へ突出した突出部が形成されている。
【０００９】
第３の開示のファストン端子は、
基板部と、
前記基板部の両側縁から弧状に延出した一対の弾性保持部と、
前記基板部に形成され、前記基板部の一部を斜め後方外向きに延出させた形態のランスとを備え、
前記基板部のうち前記ランスと対応する領域は、開口部となっており、
前記開口部の後縁部には、前記基板部における前記弾性保持部側の面を弧状に凹ませた形態の湾曲面が形成されている。
【発明の効果】
【００１０】
第１、第２及び第３の開示のファストン端子によれば、タブとの接続に支障が生じることを防止できる。
【図面の簡単な説明】
【００１１】
【図１】実施例１のファストン端子の正面図である。
【図２】ファストン端子の側断面図である。
【図３】図２のＸ−Ｘ線拡大断面図である。
【図４】図２のＹ−Ｙ線拡大断面図である。
【図５】図４の部分拡大断面図である。
【図６】ファストン端子にタブが挿入された状態をあらわす側断面図である。
【図７】タブの挿入方向先端部が、テーパ面と突出部の前端部とに同時に摺接している状態をあらわす部分拡大側断面図である。
【図８】実施例２のファストン端子の平断面図である。
【図９】実施例２のファストン端子の側断面図である。
【発明を実施するための形態】
【００１２】
［本開示の実施形態の説明］
最初に本開示の実施形態を列記して説明する。  
第１の開示のファストン端子は、
（１）基板部と、
前記基板部の両側縁から弧状に延出した一対の弾性保持部と、
前記基板部に形成され、前記基板部の一部を斜め後方外向きに延出させた形態のランスと、
前記基板部に形成され、前記ランスの側方に隣り合う切欠部とを備え、
前記切欠部の後縁部には、前記基板部における前記弾性保持部側の面を斜めに凹ませた形態のテーパ面が形成されている。
【００１３】
この構成によれば、タブが基板部と弾性保持部との間に斜め姿勢で挿入されても、タブの挿入方向先端部は、テーパ面に摺接するので、切欠部の後縁部に突き当たることはない。したがって、第１の開示のファストン端子によれば、タブとの接続に支障が生じることを防止できる。
【００１４】
（２）（１）において、前記基板部のうち前記ランスと対応する領域は、前記切欠部に連通する開口部となっており、前記基板部は、前記切欠部の後縁部と前記開口部の側縁部とが連なる角部を有し、前記テーパ面が、前記角部に配されて、前記タブの挿入方向及び前記基板部の幅方向の両方向に対して斜めをなしていることが好ましい。この構成によれば、タブが挿入過程で幅方向に変位しても、タブの挿入方向先端部は、テーパ面に摺接することができるので、切欠部の後縁部に引っ掛かることはない。
【００１５】
（３）（１）又は（２）において、前記基板部のうち前記ランスと対応する領域が開口部となっており、前記基板部のうち前記開口部の両側縁部に沿った領域には、前記弾性保持部側へ突出した突出部が形成され、前記タブの挿入過程において、前記タブの挿入方向先端部が前記テーパ面と前記突出部の前端部とに同時に摺接可能であることが好ましい。この構成によれば、タブの挿入方向先端部は、テーパ面に摺接している状態から突出部に摺接する状態へ移行する際に、突出部に突き当たるおそれがない。また、タブが斜め姿勢になっても、タブの挿入方向先端部は、突出部に乗り上がるので開口部の後縁部に突き当たるおそれはない。
【００１６】
第２の開示のファストン端子は、
（４）基板部と、
前記基板部の両側縁から弧状に延出した一対の弾性保持部と、
前記基板部に形成され、前記基板部の一部を斜め後方外向きに延出させた形態のランスとを備え、
前記基板部のうち前記ランスと対応する領域は、開口部となっており、
前記基板部のうち前記開口部の両側縁部に沿った領域には、前記弾性保持部側へ突出した突出部が形成されている。
【００１７】
この構成によれば、タブが基板部と弾性保持部との間に斜め姿勢で挿入されても、タブの挿入方向先端部は、突出部に乗り上がるので開口部の後縁部に突き当たるおそれはない。したがって、第２の開示のファストン端子によれば、タブとの接続に支障が生じることを防止できる。
【００１８】
（５）（４）において、前記基板部のうち前記ランスよりも前方の領域には、前記突出部と同じ高さの支持部が形成されていることが好ましい。この構成によれば、タブが斜め姿勢で挿入されても、タブの姿勢は、支持部と突出部とに摺接することにより矯正される。
【００１９】
（６）（５）において、前記支持部は、前記タブの挿入方向と平行な平面からなる支持面を有していることが好ましい。この構成によれば、タブの挿入方向先端部が突出部に到達する前に、支持面によってタブの姿勢を安定させることができる。
【００２０】
第３の開示のファストン端子は、
（７）基板部と、
前記基板部の両側縁から弧状に延出した一対の弾性保持部と、
前記基板部に形成され、前記基板部の一部を斜め後方外向きに延出させた形態のランスとを備え、
前記基板部のうち前記ランスと対応する領域は、開口部となっており、
前記開口部の後縁部には、前記基板部における前記弾性保持部側の面を弧状に凹ませた形態の湾曲面が形成されている。
【００２１】
この構成によれば、開口部の後縁部は、タブの挿入経路から遠ざかるように弧状に凹んでいる。したがって、タブが基板部と弾性保持部との間に斜め姿勢で挿入されても、タブの挿入方向先端部は、湾曲面に摺接するので、開口部の後縁部に突き当たることはない。したがって、第３の開示のファストン端子によれば、タブとの接続に支障が生じることを防止できる。
【００２２】
［本開示の実施形態の詳細］
［実施例１］
本開示のファストン端子Ａを具体化した実施例１を、図１〜図７を参照して説明する。本実施例１において、前後の方向については、図２，４〜７における左方を前方と定義する。上下の方向については、図１〜３，６，７にあらわれる向きを、そのまま上方、下方と定義する。
【００２３】
本実施例１のファストン端子Ａは、金属板材に曲げ加工や切り起こし加工等を施すことにより成形された単一部品であり、図１に示すように、端子接続部１０と、オープンバレル状の圧着部１１とを有している。図２に示すように、ファストン端子Ａは全体としては前後方向に細長い形状をなす。端子接続部１０は、ファストン端子Ａのうち前端側領域を構成するものであり、雄端子金具３３のタブ３４と接続する部位として機能する。タブ３４は、ファストン端子Ａの前方から挿入される。圧着部１１は、ファストン端子Ａのうち後端側領域を構成するものであり、電線（図示省略）を接続するための部位として機能する。
【００２４】
ファストン端子Ａは、前後方向に細長い基板部１２（図２，４参照）と、基板部１２のうち前端側領域の左右両側縁から弧状に延出した左右対称な一対の弾性保持部１３（図１〜３参照）とを有している。基板部１２と一対の弾性保持部１３は、端子接続部１０を構成している。図１，６に示すように、端子接続部１０に挿入されたタブ３４は、基板部１２と平行をなして、基板部１２と弾性保持部１３の延出端縁部との間に潜り込む。タブ３４は、弾性保持部１３の弾力により基板部１２の上面（ファストン端子Ａの内面）に押し付けられるようになっている。
【００２５】
図６に示すように、ファストン端子Ａは、ハウジング３０の端子収容室３１に後方から挿入されるようになっている。基板部１２には、端子収容室３１に挿入されたファストン端子Ａを抜止めするためのランス１４が形成されている。ランス１４は、基板部１２の一部を切り起こすことにより、ファストン端子Ａと一体に形成されている。ランス１４は、基板部１２から斜め下後方へ片持ち状に延出した形態である。基板部１２の板厚方向（上下方向）において、ランス１４は基板部１２から弾性保持部１３とは反対側へ突出している。端子収容室３１に挿入されたファストン端子Ａは、端子収容室３１の抜止め部３２にランス１４を引っ掛けることにより、抜止め状態に保持される。
【００２６】
図２，４，６に示すように、基板部１２には、ランス１４を切り起こすことにより開口部１５が形成されている。つまり、基板部１２のうちランス１４として切り起こされた部分が、開口部１５として開口されている。したがって、前後方向における開口部１５の開口領域は、ランス１４の前端から後端に至る範囲である。また、幅方向（左右方向）における開口部１５の開口領域は、ランス１４の左右両側縁と実質的に同じ範囲である。開口部１５の後縁部１５Ｒは、左右方向（幅方向）に沿って延びている。
【００２７】
図４，５に示すように、基板部１２には、ランス１４を切り起こす際に必要な左右一対の切欠部１６が形成されている。一対の切欠部１６は、幅方向においてランス１４と開口部１５を左右両側から挟むように、且つランス１４の左右両側縁と隣接するように配されている。前後方向における切欠部１６の形成領域は、ランス１４及び開口部１５の前端側領域と同じ範囲である。
【００２８】
ファストン端子Ａを基板部１２の板面と直角に視た平面視において、切欠部１６の開口形状は、４辺を前後方向又は左右方向に向けた方形である。切欠部１６の後縁部１６Ｒは、左右方向（幅方向）に沿って延びている。一対の切欠部１６は、開口部１５における前端側領域の左右両側縁部と連通している。
【００２９】
基板部１２の上面にはテーパ面１７が形成されている。図５に示すように、基板部１２は、切欠部１６の後縁部１６Ｒと、開口部１５の側縁部１５Ｓにおける前端部とが直角に連なる角部１８を有している。テーパ面１７はこの角部１８に配されている。換言すると、テーパ面１７は、切欠部１６の後縁部１６Ｒのうち開口部１５と連通する幅方向内側の端部のみに形成されている。テーパ面１７は、上記角部１８を基板部１２の上面側（弾性保持部１３側）から叩いて潰すことによって形成されている。
【００３０】
図７に示すように、ファストン端子Ａを幅方向に視た側面視において、テーパ面１７は、前方に向かって（切欠部１６の開口領域に向かって）低くなるように傾斜した弧状曲面となっている。図５に示すように、平面視において、テーパ面１７は、切欠部１６の後縁部１６Ｒ及び開口部１５の側縁部１５Ｓに対して傾斜した弧状曲面となっている。したがって、平面視において、テーパ面１７は、ファストン端子Ａへのタブ３４の挿入方向に対して傾斜している。
【００３１】
図２，４，６に示すように、基板部１２のうちランス１４よりも前方の領域には、支持部２０が形成されている。支持部２０は、基板部１２の一部を上方（弾性保持部１３側）へ台座状に叩き出すことによって形成されている。支持部２０の上面は、基板部１２と平行な平面からなる支持面２１となっている。支持面２１（支持部２０）の平面視形状は、４辺を前後方向又は左右方向に向けた方形である。支持部２０はランス１４の前端縁に隣接するように配されている。
【００３２】
基板部１２には、左右一対の突出部２２が形成されている。一対の突出部２２は、ランス１４の左右両側縁部（開口部１５の左右両側縁部）に沿って、前後方向に細長く延びた形態である。突出部２２は、基板部１２の上面（弾性保持部１３側）へリブ状に突出した形態である。前後方向における突出部２２の形成領域は、切欠部１６の後縁部１６Ｒの後方に隣接する位置から、開口部１５の後縁部１５Ｒよりも後方の位置にわたる範囲である。
【００３３】
図２，６に示すように、ファストン端子Ａを基板部１２の板面と平行に側方から視た側面視において、突出部２２の上端縁と、支持部２０の上面（支持面２１）は、同じ高さで前後に間隔を空けて並ぶように配されている。側面視において、テーパ面１７と突出部２２の前端部２２Ｆは、前後に接近して並ぶように配されている。テーパ面１７は、突出部２２よりも前方に位置し、且つ突出部２２よりも低い位置に配されている。
【００３４】
タブ３４をファストン端子Ａの端子接続部１０に挿入する過程では、タブ３４の挿入方向先端部（以下、「先端部」という）が、支持面２１と弾性保持部１３の延出端縁との間で上下に挟まれ、支持面２１と弾性保持部１３に摺接する。この間、弾性保持部１３の弾力によりタブ３４か支持面２１に押し付けられた状態に保たれる。タブ３４の挿入が進むと、タブ３４の先端部下面が、支持面２１だけでなく、突出部２２の突出端縁にも摺接するようになる。そして、タブ３４が正規の挿入位置に至ると、タブ３４の挿入方向先端が開口部１５の後縁部１５Ｒよりも後方の位置に到達する。以上により、タブ３４の挿入動作が終了する。
【００３５】
タブ３４の挿入過程では、タブ３４が側面視において斜め下向きの姿勢（先端部を基板部１２側に向けた姿勢）で挿入されることがある。この場合、タブ３４の先端部が切欠部１６の後縁部１６Ｒに突き当たったり、後縁部１６Ｒに引っ掛かったりすることが懸念される。この対策として、基板部１２のうち切欠部１６よりも前方（タブ３４の挿入方向後方）の領域には、基板部１２の上面（テーパ面１７）よりも高く突出した支持部２０（支持面２１）が配されている。
【００３６】
タブ３４は、弾性保持部１３の弾力により、基板部１２と平行な支持面２１に対し面接触状態で押し付けられるので、タブ３４の斜めの姿勢が基板部１２と平行な適正な姿勢に矯正される。しかも、支持面２１は基板部１２から上方へ突出しているので、タブ３４は、切欠部１６の後縁部１６Ｒよりも高い位置を基板部１２と平行に移動する。したがって、タブ３４の先端部が切欠部１６の後縁部１６Ｒに突き当たるおそれはない。
【００３７】
また、タブ３４が、弾性保持部１３の弾力を上回る外力によって斜め姿勢で挿入された場合は、タブ３４の先端部が切欠部１６の後縁部１６Ｒに接触することが懸念される。しかし、切欠部１６の後縁部１６Ｒには、タブ３４の挿入方向に対して傾斜したテーパ面１７が形成されているので、タブ３４の先端部は、テーパ面１７に対して突き当たらずに摺接することになる。したがって、タブ３４の挿入動作に支障をきたすことはない。
【００３８】
また、平面視においてタブ３４の挿入の向きが斜めになった場合、タブ３４の先端部がテーパ面１７に対して斜めに接触するおそれがある。しかし、テーパ面１７は、平面視においてタブ３４の挿入方向（前後方向）に対して斜めをなしているので、タブ３４の先端部は、開口部１５の側縁部１５Ｓに引っ掛かることなく、テーパ面１７に接触することができる。したがって、タブ３４の挿入動作に支障をきたすことはない。
【００３９】
さらに、タブ３４の先端部がテーパ面１７に摺接した状態から、タブ３４の挿入動作が進むと、タブ３４の先端部はテーパ面１７に摺接する状態から突出部２２の前端部２２Ｆに接触する状態となる。このとき、図７に示すように、テーパ面１７の突出部２２の前端部２２Ｆは、テーパ面１７と同じように前方に向かって下るように傾斜しているので、タブ３４の先端部は、テーパ面１７と突出部２２の前端部２２Ｆとに同時に接触する状態となる。したがって、タブ３４の先端部が突出部２２に突き当たるおそれはない。
【００４０】
また、タブ３４の先端部が切欠部１６の後縁部１６Ｒを通過した状態で、タブ３４が斜め下向きの姿勢をとった場合、タブ３４の先端部が開口部１５の後縁部１５Ｒに突き当たったり、後縁部１５Ｒに引っ掛かったりすることが懸念される。この対策として、基板部１２のうち開口部１５の後縁部１５Ｒよりも前方の領域には、基板部１２の上面よりも高く突出した突出部２２が形成されている。突出部２２は、開口部１５の後縁部１５Ｒよりも前方（タブ３４の挿入方向前方）の位置から、開口部１５の後縁部１５Ｒよりも後方の位置にわたって配されている。
【００４１】
タブ３４は、弾性保持部１３の弾力により、基板部１２と平行な突出部２２の突出端縁に対し線接触状態又は面接触状態で押し付けられるので、タブ３４の斜めの姿勢が基板部１２と平行な適正な姿勢に矯正される。しかも、突出部２２は基板部１２から上方へ突出しているので、タブ３４は、開口部１５の後縁部１５Ｒよりも高い位置を基板部１２と平行に移動する。したがって、タブ３４の先端部が開口部１５の後縁部１５Ｒに突き当たるおそれはない。
【００４２】
本実施例１のファストン端子Ａは、基板部１２と、基板部１２の幅方向両側縁から弧状に延出した一対の弾性保持部１３とを有する。基板部１２には、基板部１２の一部を斜め後方外向きに延出させた形態のランス１４が形成されている。基板部１２には、ランス１４の側方に隣り合う左右一対の切欠部１６が形成されている。切欠部１６の後縁部１６Ｒには、基板部１２における弾性保持部１３側の面を斜めに凹ませた形態のテーパ面１７が形成されている。
【００４３】
この構成によれば、タブ３４が基板部１２と弾性保持部１３との間に斜め姿勢で挿入されても、タブ３４の挿入方向先端部は、テーパ面１７に摺接するので、切欠部１６の後縁部１６Ｒに突き当たることはない。したがって、本実施例１のファストン端子Ａによれば、タブ３４との接続動作に支障が生じることを防止できる。
【００４４】
基板部１２のうちランス１４と対応する領域は、切欠部１６に連通する開口部１５となっている。基板部１２は、切欠部１６の後縁部１６Ｒと開口部１５の側縁部１５Ｓとが連なる角部１８を有している。テーパ面１７は、この角部１８に配され、タブ３４の挿入方向及び基板部１２の幅方向の両方向に対して斜めをなしている。この構成によれば、タブ３４が挿入過程で幅方向に変位しても、タブ３４の挿入方向先端部は、テーパ面１７に摺接することができるので、切欠部１６の後縁部１６Ｒに引っ掛かることはない。
【００４５】
基板部１２のうちランス１４と対応する領域は開口部１５となっている。基板部１２のうち開口部１５の側縁部１５Ｓに沿った領域には、弾性保持部１３側へ突出した形態の突出部２２が形成されている。この構成によれば、タブ３４が基板部１２と弾性保持部１３との間に斜め姿勢で挿入されても、タブ３４の挿入方向先端部は、突出部２２に乗り上がるので開口部１５の後縁部に突き当たるおそれはない。したがって、本実施例１のファストン端子Ａによれば、タブ３４との接続に支障が生じることを防止できる。
【００４６】
また、タブ３４の挿入過程では、タブ３４の挿入方向先端部がテーパ面１７と突出部２２の前端部２２Ｆとに同時に摺接可能である。この構成によれば、タブ３４の挿入方向先端部は、テーパ面１７に摺接している状態から突出部２２に摺接する状態へ移行する際に、突出部２２に突き当たるおそれがない。また、タブ３４が斜め姿勢になっても、タブ３４の挿入方向先端部は、突出部２２に乗り上がるので開口部１５の後縁部１５Ｒに突き当たるおそれはない。
【００４７】
また、基板部１２のうちランス１４よりも前方の領域には、突出部２２と同じ高さの支持部２０が形成されている。この構成によれば、タブ３４が斜め姿勢で挿入されても、タブ３４の姿勢は、支持部２０と突出部２２とに摺接することにより矯正される。さらに、支持部２０は、タブ３４の挿入方向及び基板部１２と平行な平面からなる支持面２１を有している。この構成によれば、タブ３４の挿入方向先端部が突出部２２に到達する前に、支持面２１によってタブ３４の姿勢を安定させることができる。
【００４８】
［実施例２］
本開示のファストン端子Ｂを具体化した実施例２を、図８〜図９を参照して説明する。本実施例２のファストン端子Ｂは、基板部４１の形状を上記実施例１とは異なる構成としたものである。その他の構成については上記実施例１と同じであるため、同じ構成については、同一符号を付し、構造、作用及び効果の説明は省略する。
【００４９】
本実施例２のファストン端子Ｂは、実施例１と同様、端子接続部４０と圧着部（図示省略）を有する。端子接続部４０は、基板部４１と、基板部４１の両側縁から弧状に延出した一対の弾性保持部１３と、ランス１４とを有する。基板部４１には、切欠部１６と、テーパ面１７と、開口部４２と、支持部２０と、突出部２２とが形成されている。本実施例２の開口部４２の後縁部４２Ｒには、基板部４１における弾性保持部１３側の面を弧状に凹ませた形態の湾曲面４３が形成されている。
【００５０】
タブ（図示省略）の幅寸法が一対の突出部２２の間隔よりも小さい場合は、タブの挿入方向先端部が、支持部２０（支持面２１）を通過した後、突出部２２に乗り上がることができない。この場合、タブの先端部は、開口部４２の後縁部４２Ｒに向かって斜め下向きに進むので、開口部４２の後縁部４２Ｒに突き当たることが懸念される。
【００５１】
この対策として、開口部４２の後縁部４２Ｒは、タブの挿入経路から遠ざかるように弧状に凹んだ形態の湾曲面４３となっている。したがって、タブが基板部４１と弾性保持部１３との間に斜め姿勢で挿入されても、タブの挿入方向先端部は、湾曲面４３に摺接するので、開口部４２の後縁部４２Ｒに突き当たることはない。したがって、本実施例２のファストン端子Ｂによれば、タブとの接続に支障をきたすことを防止できる。
【００５２】
［他の実施例］
本発明は、上記記述及び図面によって説明した実施例に限定されるものではなく、特許請求の範囲によって示される。本発明には、特許請求の範囲と均等の意味及び特許請求の範囲内でのすべての変更が含まれ、下記のような実施形態も含まれることが意図される。
上記実施例１，２では、基板部に開口部を形成したが、第１の開示の発明は、基板部に切欠部を形成しない形態も含む。基板部に切欠部を形成しない具体例としては、基板部を二枚重ね構造とし、外面側（弾性保持部とは反対側）の基板部を切り起こすことによってランスを形成した形態がある。  
上記実施例２では、開口部の後縁部に湾曲面を形成したが、第１及び第２の開示の発明は、開口部の後縁部に湾曲面を形成しない形態も含む。  
上記実施例１，２では、基板部に支持部を形成したが、第１、第２及び第３の開示の発明は、基板部に支持部を形成しない形態も含む。  
上記実施例１，２では、支持部が平面からなる支持面を有するが、第１、第２及び第３の開示の発明は、支持部が平面からなる支持面を有しない形態（支持部が半球形に突出した形態、支持部が角錐状に突出した形態、支持部がリブ状に細長く突出した形態など）も含む。  
上記実施例１，２では、基板部に突出部を形成したが、第１及び第３の開示の発明は、基板部に突出部を形成しない形態も含む。  
上記実施例１，２では、基板部に切欠部を形成したが、第２及び第３の開示の発明は、基板部に切欠部を形成しない形態も含む。  
上記実施例１，２では、テーパ面を、切欠部の後縁部と開口部の側縁部とが連なる角部に形成したが、第１、第２及び第３の開示の発明は、テーパ面を、切欠部の後縁部のうち、開口部の側縁部から離れた領域に形成した形態も含む。
【符号の説明】
【００５３】
Ａ、Ｂ：ファストン端子
１０、４０：端子接続部
１１：圧着部
１２、４１：基板部
１３：弾性保持部
１４：ランス
１５、４２：開口部
１５Ｒ、４２Ｒ：開口部の後縁部
１５Ｓ：開口部の側縁部
１６：切欠部
１６Ｒ：切欠部の後縁部
１７：テーパ面
１８：角部
２０：支持部
２１：支持面
２２：突出部
２２Ｆ：突出部の前端部
３０：ハウジング
３１：端子収容室
３２：抜止め部
３３：雄端子金具
３４：タブ
４３：湾曲面
【図１】
2020167033.tif 000003
【図２】
2020167033.tif 000004
【図３】
2020167033.tif 000005
【図４】
2020167033.tif 000006
【図５】
2020167033.tif 000007
【図６】
2020167033.tif 000008
【図７】
2020167033.tif 000009
【図８】
2020167033.tif 000010
【図９】
2020167033.tif 000011